(57)【特許請求の範囲】
【請求項１】
投入口から投入されたカードを、該カードに対して情報の入出力処理を行なう情報処理部まで搬送し、前記情報処理部での処理後、該カードを返却口まで搬送するカード搬送装置において、
前記投入口から前記情報処理部に至る途中の位置までカードを搬送する投入用搬送路と、
前記投入用搬送路から搬送されたカードを受け取って前記情報処理部まで搬送し、処理後カードを逆向きに搬送する双方向搬送路と、
前記処理済みのカードを前記双方向搬送路から受け取って前記返却口まで搬送する返却用搬送路とを備え、
前記投入用搬送路の出口側端部と、前記双方向搬送路の前記情報処理部とは反対側の端部と、前記返却用搬送路の入口側端部と、を同一点で接続し、
前記双方向搬送路は、前記返却用搬送路の入口端部と滑らかに連なるとともに前記情報処理部側が前記返却用搬送路と直角をなすように屈曲させて設けられる一方、
前記投入用搬送路は、前記返却用搬送路と前記双方向搬送路との間に位置で、前記返却用搬送路に対して鋭角に設けられ、
かつ、前記投入用搬送路の出口部と前記返却用搬送路の入口部の間に、これら出口部と入口部とを分岐する分岐障壁を設けたことを特徴とするカード搬送装置。
【請求項２】
投入口から投入されたカードを、該カードに対して情報の入出力処理を行なう情報処理部まで搬送し、前記情報処理部での処理後、該カードを返却口まで搬送するカード搬送装置において、
前記投入口から前記情報処理部に至る途中の位置までカードを搬送する投入用搬送路と、
前記投入用搬送路から搬送されたカードを受け取って前記情報処理部まで搬送し、処理後カードを逆向きに搬送する双方向搬送路と、
前記処理済みのカードを前記双方向搬送路から受け取って前記返却口まで搬送する返却用搬送路とを備え、
前記投入用搬送路の出口側端部と、前記双方向搬送路の前記情報処理部とは反対側の端部と、前記返却用搬送路の入口側端部と、を同一点で接続し、
前記双方向搬送路は、前記返却用搬送路の入口端部と滑らかに連なるとともに前記情報処理部側が前記返却用搬送路と鋭角をなすように屈曲させて設けられる一方、
前記投入用搬送路は、前記返却用搬送路と前記双方向搬送路との間に位置で、前記返却用搬送路に対して鋭角に設けられ、
かつ、前記投入用搬送路の出口部と前記返却用搬送路の入口部の間に、これら出口部と入口部とを分岐する分岐障壁を設けたことを特徴とするカード搬送装置。
【発明の詳細な説明】
【０００１】
【産業上の利用分野】
本発明は、情報が記録されるカードに情報を入出力する装置のカード搬送装置に係わり、特に搬送路の切換機構を簡略化した技術に関する。
【０００２】
【従来の技術】
主に磁気カード等に代表される情報が書き込まれたカードの情報の読取りや、情報の記録を行なう機器において、カードの投入口と返却口が異なる位置に配設された機器がある。このような形態をもつ機器のカードの搬送装置の一例を図５に示す。
【０００３】
図５の搬送路切換え用ゲート５０１は、カード投入前の状態では投入用搬送路１０３と双方向搬送路１０７とが連通するように予め付勢されており、ソレノイド５０２を駆動回路５０３により励磁したときに搬送路切換用ゲート５０１がソレノイド側に移動し、返却用搬送路１０５と双方向搬送路１０７が連通するように設けられている。
【０００４】
このカード搬送装置にカードを投入した場合、投入口１０２から投入されたカード１０１は、カード搬送の動力源となる投入用搬送路用ガイドローラ１０９により搬送路切換用ゲート５０１位置まで送られる。
そして、ソレノイド５０２を励磁せず搬送路切換用ゲート５０１を投入用搬送路１０３と双方向搬送路１０７とを連通した状態として搬送路切換用ゲート５０１を通過させ、返却用搬送路・双方向搬送路用ガイドローラ１１０により情報処理部１０６に送られる。
【０００５】
情報処理部１０６においてカード１０１に情報の読込・記録を終了した後、カード１０１は、情報処理部１０６の内部から双方向搬送路に戻され、搬送路切換用ゲート５０１に送られる。
そして、ソレノイド５０２を駆動回路５０３により励磁し搬送路切換用ゲート５０１を返却用搬送路１０５と双方向搬送路１０７とを連通した状態として搬送路切換用ゲート５０１を通過させ、返却用搬送路・双方向搬送路用ガイドローラ１１０により返却口１０４に送られる。
【０００６】
【発明が解決しようとする課題】
しかしながら、このような従来のカード搬送装置では搬送路切換用ゲートを駆動させるために、ソレノイドなどの摺動部とそれを駆動する駆動機構とを必要とし、またこれらの制御のタイミングや搬送路切換用ゲートの微妙な取付け位置などの調整も必要となる。
【０００７】
このため、カード搬送装置の保守に多大な労力が費やされ、駆動部を有するために装置の小型化が困難となり、さらに、装置の寿命も低下する問題があった。本発明は、このような従来の問題点に着目してなされたもので、搬送方向を変換させるための駆動部を有せず、単純な構成でカードの搬送方向を変換することができるカード搬送装置を提供することを目的とする。
【０００８】
【課題を解決するための手段】
請求項１に記載の発明は、投入口から投入されたカードを、該カードに対して情報の入出力処理を行なう情報処理部まで搬送し、前記情報処理部での処理後、該カードを返却口まで搬送するカード搬送装置において、前記投入口から前記情報処理部に至る途中の位置までカードを搬送する投入用搬送路と、前記投入用搬送路から搬送されたカードを受け取って前記情報処理部まで搬送し、処理後カードを逆向きに搬送する双方向搬送路と、前記処理済みのカードを前記双方向搬送路から受け取って前記返却口まで搬送する返却用搬送路とを備え、前記投入用搬送路の出口側端部と、前記双方向搬送路の前記情報処理部とは反対側の端部と、前記返却用搬送路の入口側端部と、を同一点で接続し、前記双方向搬送路は、前記返却用搬送路の入口端部と滑らかに連なるとともに前記情報処理部側が前記返却用搬送路と直角をなすように屈曲させて設けられる一方、前記投入用搬送路は、前記返却用搬送路と前記双方向搬送路との間に位置で、前記返却用搬送路に対して鋭角に設けられ、かつ、前記投入用搬送路の出口部と前記返却用搬送路の入口部の間に、これら出口部と入口部とを分岐する分岐障壁を設けるようにした。
【０００９】
請求項２に記載の発明は、投入口から投入されたカードを、該カードに対して情報の入出力処理を行なう情報処理部まで搬送し、前記情報処理部での処理後、該カードを返却口まで搬送するカード搬送装置において、前記投入口から前記情報処理部に至る途中の位置までカードを搬送する投入用搬送路と、前記投入用搬送路から搬送されたカードを受け取って前記情報処理部まで搬送し、処理後カードを逆向きに搬送する双方向搬送路と、前記処理済みのカードを前記双方向搬送路から受け取って前記返却口まで搬送する返却用搬送路とを備え、前記投入用搬送路の出口側端部と、前記双方向搬送路の前記情報処理部とは反対側の端部と、前記返却用搬送路の入口側端部と、を同一点で接続し、前記双方向搬送路は、前記返却用搬送路の入口端部と滑らかに連なるとともに前記情報処理部側が前記返却用搬送路と鋭角をなすように屈曲させて設けられる一方、前記投入用搬送路は、前記返却用搬送路と前記双方向搬送路との間に位置で、前記返却用搬送路に対して鋭角に設けられ、かつ、前記投入用搬送路の出口部と前記返却用搬送路の入口部の間に、これら出口部と入口部とを分岐する分岐障壁を設けるようにした。
【００１０】
【作用】
請求項１に記載の発明では、投入口から投入され投入用搬送路の出口部まで搬送されたカードは、搬送力によって双方向搬送路に移動して、情報処理部に送られ、処理部から双方向搬送路に逆向きに搬送されたカードは、滑らかに連なる返却用搬送路に移動して返却口から返却することができる。
【００１１】
また、この搬送路の切り換えを摺動部および駆動部を有しない簡単な構成で実現することができる。
ここで、双方向搬送路を、その情報処理部側が返却用搬送路と直角となるように屈曲させて配設することにより、カード搬送装置の奥行きを短縮することができる。同時に、投入用搬送を返却用搬送路と双方向搬送路との間の位置で返却用搬送路に対して鋭角に設けるので、カードが双方向搬送路から返却用搬送路に移動する際、返却用搬送路の外側面に弾性変形されたカードが元の平板形状に復元しようとする力が働くため、カードを投入用搬送路に入り込むことなく確実に返却用搬送路に搬送することができる。
【００１２】
請求項２に記載の発明では、双方向搬送路を、返却用搬送路と双方向搬送路とが鋭角になる位置まで投入用搬送路側に屈曲させることにより、カード搬送装置全体の占有体積を削減することができる。同時に、投入用搬送を返却用搬送路と双方向搬送路との間の位置で返却用搬送路に対して鋭角に設けるので、前述と同様にカードの弾性特性と相まって確実にカードを返却用搬送路に搬送することができる。
【００１３】
【実施例】
本発明の具体的な実施例を図１〜図４を用いて説明する。
図１は本発明の第１の実施例を示し、カード１０１が投入される投入口１０２と、
前記カード１０１に情報を入出力処理する情報処理部１０６と、
前記投入口１０２から前記情報処理部１０６に至る途中の位置までカードを搬送する投入用搬送路１０３と、
前記投入用搬送路１０３から搬送されたカードを受け取って前記情報処理部１０６まで搬送し、処理後カードを逆向きに搬送する双方向搬送路１０７と、
処理済みのカードを前記双方向搬送路１０７から受け取って返却口１０４まで搬送する返却用搬送路１０５と、
前記投入用搬送路１０３の出口部と前記返却用搬送路１０５の入口部の間に、これら出口部と入口部が鋭角をなして分岐するように設けられた分岐障壁１０８と、から構成される。
【００１４】
前記投入用搬送路１０３は、上側の既設のローラ１１２およびローラ１１３と、これらローラ１１２およびローラ１１３に対向して下側に配設されたベルト１０９によって構成され、カードを前記ローラ１１２とベルト１０９との間に挟んで搬送する。
前記双方向搬送路１０７は、投入用搬送路１０３の出口点を下側に配設し、また、前記ローラ１１１と該ローラ１１１の側方に隣接して配設された下側のローラ１１４，１１７および、これらローラ１１１，ローラ１１３の上側に対向して配設されるベルト１１０の図において右側部分で構成され、同様に、カードをローラ１１１，ローラ１１４およびローラ１１７と、ベルト１１０との間に挟んで搬送する。尚、これらローラ，ベルトは回転方向を反転することができる。それによって双方向にカードを搬送できるようになっている。
【００１５】
返却用搬送路は、前記上側のベルト１１０の図で左側部分と、その下側に対向して配設されるローラ１１５およびローラ１１６とで構成され、同様にベルト１１０とローラ１１５およびローラ１１６との間にカードを挟んで搬送する。
また、前記分岐障壁１０８は、双方向搬送路１０７から搬送されてきたカードが、投入用搬送路１０３に進入したり、分岐障壁１０８の鋭角部に突き当たることなく返却用搬送路１０５側に進入可能な位置に固定する。具体的には、カード１０１がベルト１１０とローラ１１１と挟まれる水平位置より下側に分岐障壁１０８は配設され、双方向搬送路１０７からカードが搬送されてきたときに、ローラによる押し付け力が失われてカード先端を受け止めることができる位置まで鋭角の先端部を延設すればよい。
【００１６】
この分岐障壁１０８の具体的な作用を図３を用いて説明する。まず、図３（ａ）に示すようにカード１０１が投入用搬送路１０３側から搬送用ローラ１１１側に搬送される場合には、カード１０１がベルト１１０と搬送用ローラ外周面とに挟まれることにより搬送用ローラ１１１に巻き込まれる。
一方、図３（ｂ）に示すように搬送用ローラ１１１側から逆方向に搬送される場合には、カード１０１自体の弾性特性により搬送用ローラ１１１側から離れたカード１０１が元の平板形状に復元されるため、分岐障壁１０８の投入用搬送路１０３側に進入せず、分岐障壁１０８の上側、即ち返却用搬送路１０５側に進入する。
【００１７】
これにより、カード１０１が投入用搬送路１０３から搬送用ローラ１１１に搬送された場合には双方向搬送路１０７に搬送され、また、双方向搬送路１０７から搬送用ローラ１１１に搬送された場合には返却用搬送路に搬送されることができる。
このような分岐障壁１０８により、カード搬送装置は次に示すように機能する。カード１０１を投入口１０２に投入した場合、カード１０１はカード搬送の動力源となる投入用搬送路用ガイドローラ１０９により分岐障壁１０８まで搬送され、搬送用ローラを時計回りに回転させることにより双方向搬送路１０７に搬送される。双方向搬送路１０７においては返却用搬送路・双方向搬送路用ガイドローラ１１０により、カード１０１は情報処理部１０６に搬送される。
【００１８】
情報処理部１０６においてカード１０１に情報の読込・記録を終了した後、カード１０１は情報処理部１０６から双方向搬送路１０７に戻される。ここにおいて、返却用搬送路・双方向搬送路用ガイドローラ１１０を逆回転させることにより、カード１０１は搬送用ローラ１１１に搬送される。
さらに、搬送用ローラ１１１も反時計方向に回転させ、また先述の分岐障壁１０８の作用と相まってカード１０１は返却用搬送路１０５に搬送される。そして、返却用搬送路１０５においても逆回転されている返却用搬送路・双方向搬送路用ガイドローラ１１０によりカード１０１は返却口１０４に搬送される。
【００１９】
尚、以上説明したカード搬送は滑らかな動きにより連続的に行なわれる。
このようなカード搬送装置により、従来例にみられる搬送路の切換のための駆動部を必要とせず、簡単な構成で自動的にカードの搬送経路を変化させることができる。そのため、このカード搬送装置自体は勿論、このカード搬送装置を用いた機器においては装置を小型化および省電力化することができ、製造コスト等を低減することができる。また、駆動部を有しないため、搬送機構の調整が容易となり装置の耐久性も向上する。
【００２０】
また、搬送用回転体の外周にカードが弾性変形により巻着可能な柔軟性のあるカードを用いることにより、双方向搬送路から搬送されたカードが搬送用回転体に巻着され、この搬送用回転体を離れた後にカードが元の平板形状に復元する。そのため、カード先端部を返却用搬送路側に導くことができ、カード全体を返却用搬送路に搬送させることができる。
【００２１】
次に、本発明の第２の実施例を図２に基づいて説明する。第２の実施例では情報処理部１０６を搬送用ローラ１１１を中心として直角に屈曲させた位置に固定することにより、水平方向の設置長さを短縮することができる。
また、図３（ｃ）に示すように、カード１０１が搬送用ローラ１１１に接触する面積が増加し、カード１０１が分岐障壁１０８部を通過する際にカード１０１がカードの弾性特性により、返却用搬送路１０５の側面に押し付けられるため、確実に返却用搬送路１０５に搬送することができる。
【００２２】
図４は本発明の第３の実施例を示した。図４に示すように情報処理部１０６を搬送用ローラ１１１を中心として投入用搬送路１０３側に屈曲させることにより、図１に示す実施例より水平方向の設置長さを短縮でき、且つ図３に示す実施例より垂直方向の設置長さを短縮することができる。その結果、装置のコンパクト化を図ることができる。
【００２３】
また、第２の実施例と同様に、カードの弾性特性と相まってカードを確実に返却用搬送路１０５に搬送することができる。
【００２４】
【発明の効果】
請求項１に記載の発明では、投入口から投入されたカードを投入用搬送路の出口部まで搬送されたカードは、搬送力によって双方向搬送路に移動して、情報処理部に送り、処理部から双方向搬送路に逆向きに搬送されたカードは、滑らかに連なる返却用搬送路に移動して返却口から返却することができる。また、このときのカードの搬送路の切換を摺動部および駆動部を有しない簡単な構成で実現することができる。その結果、カード搬送装置をコンパクトな構成とすることができ、さらに搬送路切換の微妙な調整作業を要さない構成とすることができる。また、消費電力を低減することができる。
【００２５】
また、カード搬送装置の奥行きを短縮することができるため、カード搬送装置を内蔵したカード処理機器の小型化に寄与することができる。また、カードが双方向搬送路から返却用搬送路に移動する際、返却用搬送路の投入用搬送路に対する外側面に、弾性変形されたカードが元の平板形状に復元しようとする力が働くため、カードを投入用搬送路に入り込むことなく確実に返却用搬送路に搬送することができる。
【００２６】
請求項２に記載の発明では、カード搬送装置全体を小型化することができるため、カード搬送装置を内蔵したカード処理機器をコンパクト化することができる。また、カードの弾性特性と相まって、カードを確実に双方向搬送路から返却用搬送路に搬送することができる。
【図面の簡単な説明】
【図１】本発明の全体構成図
【図２】該搬送路切換部の作用を説明する図
【図３】双方向搬送路の形状を９０°屈曲させた一例を示す図
【図４】双方向搬送路の形状を返却用搬送路と双方向搬送路が鋭角をなすように屈曲させた一例を示す図
【図５】従来のカード搬送装置を示した図。
【符号の説明】
１０１  カード
１０２  投入口
１０３  投入用搬送路
１０４  返却口
１０５  返却用搬送路
１０６  情報処理部
１０７  双方向搬送路
１０８  分岐障壁
【図１】
0003581416.tif 000002
【図２】
0003581416.tif 000003
【図３】
0003581416.tif 000004
【図４】
0003581416.tif 000005
【図５】
0003581416.tif 000006